(57)【要約】【課題】    本発明は、屋根外側および室内床下に通気層を設けて、屋根面での外断熱、結露防止、床面での温風床暖房と断熱に簡易で有効な通気層を提供することを目的とする。【解決手段】  屋根外側および室内仕上げ床下に、通気層を得る為に通気穴を有する吸付き桟を平行、千鳥に配置した、屋根にあっては通気野地、床にあっては通気床をパターン化し、防燃、防腐、防虫処理をして作り、平面上均等な流れを作り出す。屋根面での断熱、結露防止と床面での温風室外器による床暖房を特徴とする通気層を完成する。【選択図】    図１
2005139878.tif 000002
【特許請求の範囲】
【請求項１】
屋根面野地板の上部に設けて、外気を軒先より取り入れて通気層を設ける為に合板・木質系繊維板・けい酸カルシウム板・古紙廃木を利用し、エコ商品として開発された樹脂合成板、厚み６〜１５ｍｍ、大きさ縦６０〜１２０ｃｍ、横６０〜２００ｃｍの板に通気層を作る、高さ２０〜５０ｍｍ、巾２５〜５０ｃｍ長さ２５〜５０ｃｍの中央部に、通気穴を設けた吸付き桟を平面上６５０〜１５００ｃｍ２、以内に一ヶ所の範囲に平行、千鳥に配置固定し、防燃、防腐、防虫処理してパターン化した特徴を持つ通気野地。
【請求項２】
温風床暖房の開発にあたり、床面仕上材の下部に設けて、温風の通る層を設けるために合板・木質系繊維板・けい酸カルシウム板・古紙廃木を利用したエコ商品として開発された樹脂合成板、厚み６〜１５ｍｍ、大きさ縦６０〜１２０ｃｍ、横６０〜２００ｃｍの板に通気層を作る、高さ２０〜５０ｍｍ、巾２５〜５０ｍｍ、長さ２５〜５０ｃｍの中央部に、通気穴を設けた吸付き桟を平面上６５０〜１５００ｃｍ２、以内に一ヶ所の範囲に平行、千鳥に配置固定し、防燃、防腐、防虫処理してパターン化した特徴を持つ通気床。
【請求項３】
室外に設置した温風器より、通気床によって作られた床下通気層にダクトで温風を送り込み、床下全面に送られた温風で床暖房を又室内壁際床および巾木上部に、温風の吹き出し口金物を適所に取付けて室内の暖房を行うシステム。
【請求項４】
室外に設置して、吸気口より送風ファンによって取入れた外気を、ガス、灯油、電気等を熱源とした、ボイラー内に通気ダクトを設け、熱せられた通気ダクト内に外気を通して、５０〜９０℃の温風を作り送風ファンで床下通気層に圧送する。温風の温度調節は、ボイラー内の燃焼温度と送風ファンの風圧で行うことが出来、送風ファンを逆転使用して、夏季は室内換気に活用できる室外温風器。
【発明の詳細な説明】
【発明の詳細な説明】
【技術分野】
【０００１】  本発明は、屋根面の断熱と結露防止および床面断熱と温風床暖房に有効な通気層と温風床暖房システムに関する。
【背景技術】
【０００２】  従来より、屋根面での断熱は屋根構造体の内側に、繊維系グラスウール、ロックウール等または発泡樹脂系成型板を取付けるか、構造体外部に断熱材を取付けて使用した断熱材のもつ断熱性能のみによる工法がほとんどであり、屋根面外側で断熱材の上に取付けて、断熱および結露防止に有効な外気の通気層を兼ねて、屋根葺下地となるものがない。【０００３】  床暖房の現在の主流は、温水パネル等熱エネルギーが温水や電気抵抗による発熱体を床下に敷き込んで表面を保護した方法が主で、温水パイプや配管系等、発熱体が釘打ち等、外圧によって損傷を受ける又湯垢による詰りの心配があり、施工中はもちろんのこと完成後も注意が必要となる。
【発明が解決しようとする課題】
【０００４】  本発明は、屋根にあっては外気の通気を有効利用して断熱と結露防止効果を得る。床にあっては、温風床暖房システムの温風通気層および床下断熱に有効な空気層として、施工性に優れた通気野地、通気床を提供することを目的とする。
【課題を解決するための手段】
【０００５】  本発明者は、屋根面野地板の上部に、断熱および結露防止に有効な外気の通気を活用するために、屋根面外側に取付けた断熱シート又は断熱板の上に、屋根葺き下地を兼ねた通気層となる通気野地を作る。
【０００６】  本発明者は、温風床暖房システムの床下温風通気層として床面仕上材の下部に設けて、床仕上下地を兼ねた通気層となる通気床を作る。
【０００７】  本発明者は、床暖房の主流をなす温水パネル、その他発熱体を床下に敷き込んで行う工法ではなく、室外に温風器を設置して床下に設けた通気層に温風を送り込み、床面壁際および巾木上部に温風吹き出し口金物を適所に設け、床面の暖房と室内の暖房をおこなう。床下である為安全で、メンテナンスのない温風床暖房システムとなることを知見した。
【０００８】  本発明者は、通気野地板において、合板・木質系繊維板・けい酸カルシウム板・古紙廃木を利用し、エコ商品として開発された樹脂合成板、厚み６〜１５ｍｍ、好ましくは８〜１２ｍｍ、大きさ縦６０〜１２０ｃｍ、好ましくは９０〜１００ｃｍ、横６０〜２００ｃｍ、好ましくは９０〜１８０ｃｍの板に、通気層を作る、高さ２０〜５０ｍｍ、好ましくは３０〜４０ｍｍ、巾２５〜５０ｍｍ、好ましくは３０〜４０ｍｍ、長さ２５〜５０ｃｍ、好ましくは２５〜３０ｃｍの中央部に通気面積１．５〜５．０ｃｍ２の通気穴を有した吸付き桟を屋根葺下地板に６５０〜１５００ｃｍ２、好ましくは１０００〜１２５０ｃｍ２、以内に一ヶ所の範囲で平行、千鳥に配置して釘又は接着剤で固定する。
樹脂合成板は、吸付き桟との一体成型品も作る。屋根葺き下地としては、水分による影響を受けない素材が好ましい、吸付き桟も防燃、防腐、防虫処理したものが好ましい。
【０００９】  本発明者は、通気床において、合板・木質系繊維板・けい酸カルシウム板・古紙廃木を利用し、エコ商品として開発された樹脂合成板、厚み６〜１５ｍｍ、好ましくは８〜１２ｍｍ、大きさ縦６０〜１２０ｃｍ、好ましくは９０〜１００ｃｍ、横６０〜２００ｃｍ、好ましくは９０〜１８０ｃｍの板に、通気層を作る、高さ２０〜５０ｍｍ、好ましくは３０〜４０ｍｍ、巾２５〜５０ｍｍ、好ましくは３０〜４０ｍｍ、長さ２５〜５０ｃｍ、好ましくは２５〜３０ｃｍの中央部に通気面積１．５〜５．０ｃｍ２の通気穴を有した吸付き床仕上下地板に、６５０〜１５００ｃｍ２、好ましく１０００〜１２５０ｃｍ２、以内に一ヶ所の範囲で平行、千鳥に配置して釘又は接着剤で固定する。パターン化して防燃、防腐、防虫処理したものが好ましい。
樹脂合成板は、吸付き桟との一体成型品も作る。床下温風取入れ部には耐熱性のある、けい酸カルシウム板を使用した通気床が好ましい。
【００１０】  さらに本発明は、温風床暖房システムの室外設置温風器において、都市ガス・プロパンガス・灯油・電気を熱源として使用する、外気を直接取込んで暖め、送風ファンによりダクトを通じて床下通気層に送り込む、室内壁際に温風吹き出し口金物を適所に取付けて、天井及び壁上部に換気扇を設置し、床下通気層の温風の流れを効率よく行うことを知見した。室外温風器の操作は、室内よりリモートコントロールする。
【発明を実施するための最良の形態】
【００１１】  本発明の通気野地は、屋根面野地板の上に断熱シート又は断熱板取付け後、その上より、屋根たる木に通気野地の吸付き桟が直角に重なるように配置して取付ける。長ビス又はスクリン釘で吸付き桟の上より屋根たる木に堅固に取付け、継ぎ手部は、吸付き桟にビス又は釘止めする。通気野地取付け完了後、軒先および必要におうじてケラバに、開発済みの防虫効果のある、吸、排気口金物を通気層の部分に取付けて、屋根面外側であらゆる屋根葺き材に対応出来る、屋根葺き下地を兼ねた断熱、結露防止に有効な通気層を、パターン化した通気野地を使用して平面上均等な流れを作り出す通気層を完成した。【００１２】  通気床の取付けは、床根太に下貼りとして、厚み８〜１０ｍｍのけい酸カルシウム板を張り付け後、取り合い目地継手に気密テープを貼って温風の床下に逃げるのを防ぐ。周囲壁取り合い部に吸付き桟と同じ高さで、巾３ｃｍほどの見切りを取付けて気密に備える。別途開発した温風暖房システムの室外温風器で作った温風を床下通気層に送る為に、耐熱ダクトを気密に床下貼板に取付ける。引き続き、通気床の取付けは、吸付き桟が床根太に直角に交差するよう配置する。取付け固定は、吸付き桟の上より床根太に床下貼板を貫通して、長ビス又はスクリン釘で堅固に取付ける。継ぎ手部は、吸付き桟にビス又は釘止めにし、あらゆる床仕上下地を兼ねた温風通気層を、パターン化した通気床を使用して平面上均等な流れを作り出す通気層を完成した。
【発明の効果】
【００１３】  通気野地、通気床は、吸付き桟を平行、千鳥に配置して、平面上均等な流れを作り出す、全面通気を可能にした。又取付け屋根たる木や床根太の間隔に関係なく取付けが出来るように開発した。
【００１４】    温風床暖房システムは、床下に熱源を敷き込む工法でなく、床下に通気層を設けて温風を送り込む方式の為、施工時の問題点もなく完成後床下のメンテナンスも無い、経済性に優れたシステムです。温風暖房使用時以外の時でも、床下通気層は断熱に有効である。夏季冷房時、室外温風器のファンを逆転使用する事で、冷気を床下通気層に取り込んで換気することが出来る。冬季は、天井及び壁の換気扇で換気、夏季は、床下通気層を利用した換気と、暖気と冷気を使い分けた理想の室内換気が出来、燃焼による空気汚染を全く受けないシステムである。
【図面の簡単な説明】
【図１】  通気野地、通気床の平面図である。
【図２】  通気野地、通気床横巾方向の断面図である。
【図３】  温風床暖房システムの平面図である。
【図４】  温風床暖房システムの断面図である。
【符号の説明】
１  通気野地、通気床の屋根葺き下地板および床仕上げ下地板
２  通気野地、通気床の吸付き桟
３  吸付き桟の通気穴
Ｗ  通気野地および通気床の横巾寸法
Ｌ  通気野地および通気床の縦巾寸法
ａ  通気野地、通気床の取り合い継ぎ手寸法
【図１】
2005139878.tif 000003
【図２】
2005139878.tif 000004
【図３】
2005139878.tif 000005
【図４】
2005139878.tif 000006